(57)【要約】【課題】飛距離を十分に出すことができるとともに、糸が絡まるようなことがない釣魚用の仕掛け。【解決手段】道糸３の先端に錘４を取りつけ、錘４の上部にはコマセかご５を一定の範囲で摺動可能に取りつけ、錘４の下部にはハリス６を取りつけるとともに、上記コマセかご５の上部には浮き７を取りつける。なお、道糸３の下端に一部が曲がった針金１２の上端を接続し、該針金１２の下端にハリス６を接続するとともに、上記針金１２の上部にコマセかご５を摺動自在に取りつけ、コマセかご５の摺動範囲の下端に錘４を取りつけるようにしてもよい。【選択図】        図１
2004357598.tif 000002
【特許請求の範囲】
【請求項１】
道糸の先端に錘を取りつけ、錘の上部にはコマセかごを錘まで摺動できるように取りつけ、錘の下部にはハリスを取りつけたことを特徴とする釣魚用の仕掛け。
【請求項２】
道糸の先端に一部が曲がった針金の上端を接続し、針金の上部の真直部に錘を固定し、錘の上部にはコマセかごを錘まで摺動できるように取りつけ、上記針金の下端にハリスを接続することを特徴とする釣魚用の仕掛け。
【請求項３】
前記コマセかごの上部には、浮きをコマセかごまで摺動できるように取りつけた、請求項１又は請求項２に記載の釣魚用の仕掛け。
【発明の詳細な説明】
【０００１】
【発明の属する技術分野】
本発明は、特にアジ釣りに適する釣魚用の仕掛けに関する。
【０００２】
【従来技術とその問題点】
一般に、釣魚用の仕掛けは魚の種類によって異なる。例えば、アジ釣り用の仕掛けは大きく、道糸の先に多数の釣り針を付けたハリスを接続し、サビキの上端にコマセかご、下端に錘を取りつけ、竿をしゃくることによりコマセかごを上下させてコマセを少しずつ出してアジの群れを引き寄せ、えさと間違えて釣り針にかかったところを釣り上げるものと、図５に示されるように、道糸３に浮き７を付け、その先に１〜３本程度の釣り針を備えたハリス６を接続し、さらにハリス６の先端に錘４を取りつけ、アジが釣り針にかかって浮きが消し込んだり食い上げたりするのを待って釣り上げるものとが知られている。前者の仕掛けは堤防などから道糸を垂らして釣るものであるが、後者の仕掛けは竿を振りこんで仕掛けを遠くに飛ばし、堤防から５０ｍぐらい沖合いを回遊するアジを釣るものである。後者の仕掛けの方がサイズの大きいアジを釣ることができる。
【０００３】
【発明が解決しようとする課題】
後者の仕掛けは遠くに飛ばすことが肝要であるが、上記の仕掛けにはコマセかごが付いており、コマセかご５にコマセを詰めこむと、重くなるから飛ばすときに錘として機能する。この状態で飛ばすと、錘４が離れた位置に２つあることになり、仕掛けの重心が定まらないほか、浮きは大きいので抵抗も大きいので、上空で錘４とコマセかご５がばらばらの状態で飛ぶ。つまり、錘４とコマセかご５が前になったり後ろになったりしながら飛んでいく。このため、思うように飛距離が出なかったり、水中に沈む前に釣り針が絡まったりしてしまうことがある。
【０００４】
本発明は上記問題点を解消し、飛距離を十分に出すことができるとともに、糸が絡まるようなことがない釣魚用の仕掛けを提供することをその課題とする。
【０００５】
【課題を解決するための手段】
前記課題を解決するため、本発明に係る釣魚用の仕掛けは、道糸の先端に錘を取りつけ、錘の上部にはコマセかごを錘まで摺動できるように取りつけ、錘の下部にはハリスを取りつけたことを特徴とする。
【０００６】
また、釣魚用の仕掛けは、道糸の先端に一部が曲がった針金の上端を接続し、針金の上部の真直部に錘を固定し、錘の上部にはコマセかごを錘まで摺動できるように取りつけ、上記針金の下端にハリスを接続するように構成してもよい。
【０００７】
なお、前記コマセかごの上部には、浮きをコマセかごまで摺動できるように取りつけるのが望ましい。
【０００８】
【発明の実施の形態】
図１は本発明に係る釣魚用の仕掛けを含む全体図で、符号１は釣り竿、２はリールであり、３はリール２に巻き取り可能に設けられた道糸である。道糸３の先端には仕掛けＡが取り付けられている。道糸３の先端には錘４が固定され、錘４の上部にはコマセかご５が一定の範囲で摺動可能に取りつけられ、錘４の下部にはハリス６が取りつけられている。さらに、コマセかご５の上部には、浮き７（中通し浮き）が一定の範囲で摺動可能に取り付けられている。
【０００９】
コマセかご５の摺動範囲の上端はストッパ９の位置であり、下端は錘４のある位置であり、コマセかご５は道糸３に沿って錘４とストッパ９との間の範囲内で摺動できるようになっている。
【００１０】
なお、コマセかご５の摺動部分は道糸３ではなく、真直の針金（図示せず）でもよい。この場合、錘４は金属線材の先端に固定される。
【００１１】
錘４は３号〜５号程度のものでよいが、必ずしもこれに限定されるものではない。コマセかご５は一般にロケットかごと呼ばれているものを使用すればよい。また、ハリス６には１〜３本程度のさば皮付きの釣り針１０が取りつけられていればよい。浮き７は道糸３に設けた２つのビーズ１１間を摺動できるようになっている。ビーズ１１は移動させて釣り針の深さを調整できるようになっている。
【００１２】
浮き７の摺動範囲の上端は浮き止め８の位置であり、下端はコマセかご５のある位置である。したがって、浮き７はストッパ９を越えてコマセかご５に当る位置まで移動できるようになっている。
【００１３】
以上の構成の仕掛けによってアジ釣りをするにあたり、竿を後ろから大きく前に振りこんで仕掛けを飛ばすと、空中でコマセかご５と浮き７に遠心力が働いて道糸３に沿って先端側に移動し、図１に点線で示すように、コマセかご５と浮き７と錘４とはほぼ一体になる。このため、仕掛けの重心が１つになるから、仕掛けを十分に遠くに飛ばすことができる。また、浮き７も一体になっているので、仕掛け全体に対する空気抵抗は小さくなるので安定してより遠くまで飛び、ハリス６が絡まることもない。したがって、他人の仕掛けよりも遠い位置に仕掛けをセットすることができるから、釣果も上がる。
【００１４】
なお、浮き７自体の重量は軽いので、必ずしもコマセかご５と錘４と一体になる必要はない。浮き７はストッパ９を越えて移動しなくてもよい。
【００１５】
また、仕掛けは上記例に限定されない。図２及び図３の仕掛けＢのように構成してもよい。すなわち、道糸３の下端には一部が曲がった針金１２の上端が接続されている。針金１２の下端にはハリス６が接続されている。そして、上記針金１２の上部の真直部１２ａにはコマセかご５が摺動自在に取りつけられている。また、真直部１２ａの下端には錘４が固定されている。
【００１６】
コマセかご５の摺動範囲の上端は真直部１２ａの上端折り返し部によるストッパ９の位置であり、下端は錘４のある位置であり、コマセかご５は真直部１２ａに沿って錘４とストッパ９との間の範囲内で摺動できるようになっている。
【００１７】
なお、コマセかご５は針金１２を貫通して摺動できるように取り付けられているが、コマセかご５の内部にも錘１３が配置され、この錘１３も針金１２を貫通してコマセかご５の内部で摺動できるように取り付けられている。これにより、コマセかご５自体の重量も重くなって錘的機能も十分になるほか、錘１３とともに針金１２に沿って動きやすくなる。
【００１８】
さらに、コマセかご５の上部には、浮き７が一定の範囲で摺動可能に取り付けられている。浮き７は中通し浮きで、浮き７の摺動範囲の上端は浮き止め８の位置であり、下端はコマセかご５のある位置である。したがって、浮き７は折り返し部１５を越えてコマセかご５に当る位置まで移動できるようになっている。
【００１９】
上記構成の仕掛けを使用するときも、竿１を大きく前に振りこんで仕掛けを飛ばす。このとき、空中でコマセかご５と錘１３が針金１２に沿って図３に示すように移動し、コマセかご５と浮き７と錘４とはほぼ一体になる。このため、仕掛けＢの重心が１つになるから、仕掛けを安定した状態で十分に遠くに飛ばすことができ、また、浮き７も一体になっているので、仕掛け全体に対する空気抵抗は小さくなるので安定してより遠くまで飛び、ハリス６の釣り針１０が絡まることもない。
【００２０】
上記仕掛けが海面に達すると、コマセかご５と錘４は沈むが、浮き７は海面上に出て仕掛け全体を海中に保持する。
【００２１】
浮き７の浮力によって仕掛けは海中に浮いた状態になるが、図４のように、矢印で示した潮の流れに従って針金１２の錘４から下方の部分はコマセかご５よりも下流側を向くことになる。ハリス６もコマセかご５よりも下流に漂う。したがって、竿１を上下にしゃくる毎にコマセかご５の内部のコマセ１４が少しずつ塊となって排出され、潮の流れに従ってハリス６に向かって流れて散らばる。このため、ハリス６の釣り針はコマセの中に隠れるような状態になる。アジはコマセに群がるので、釣り針１０にかかりやすくなる。したがって、上記仕掛けによればさらに大きな釣果が得られる。
【００２２】
なお、この場合も浮き７は必ずしもコマセかご５と一体になる必要はない。折り返し部１５が摺動下端であってもよい。
【００２３】
【発明の効果】
請求項１に係る発明によれば竿を後ろから大きく前に振りこんで仕掛けを飛ばすと、空中でコマセかごに遠心力が働いて道糸に沿って移動し、錘とほぼ一体になる。このため、仕掛けの重心が１つになるから、仕掛けを十分に遠くに飛ばすことができる。また、仕掛けは安定して飛ぶからハリスが絡まることもない。したがって、他人の仕掛けよりも遠い位置に仕掛けをセットすることができるので、釣果も上がる。
【００２４】
請求項２に係る発明によれば、他人の仕掛けよりも遠い位置に仕掛けをセットすることができることはもちろんであるが、さらに浮きの浮力によって仕掛けは海中に浮いた状態になり、潮の流れに従って針金の錘から下方の部分はコマセかごよりも下流側を向くことになる。このため、ハリスもコマセかごよりも下流に漂う。したがって、竿を上下にしゃくる毎にコマセかごの内部のコマセが少しずつ塊となって排出され、潮の流れに従ってハリスに向かって流れて散らばる。このため、ハリスの釣り針はコマセの中に隠れる。また、アジはコマセに群がるので、釣り針にかかりやすくなる。したがって、上記仕掛けによればさらに大きな釣果が得られる。
【００２５】
請求項３に係る発明によれば、仕掛けを飛ばしたとき、浮きもコマセかごと錘と一体になるので、さらに安定して遠くに飛ばすことができる。
【図面の簡単な説明】
【図１】本発明に係る釣魚用の仕掛けを含む全体図
【図２】他の仕掛けの例を含む全体図
【図３】上記仕掛けの要部の断面図
【図４】上記仕掛けの海中における状態を示す説明図
【図５】従来の釣り仕掛けの説明図
【符号の説明】
４  錘
５  コマセかご
６  ハリス
１２  針金
【図１】
2004357598.tif 000003
【図２】
2004357598.tif 000004
【図３】
2004357598.tif 000005
【図４】
2004357598.tif 000006
【図５】
2004357598.tif 000007